(57)【要約】【課題】洗濯機パンからより容易に取り外すことができる排水トラップおよびその排水トラップを備える洗濯機パンを提供することを目的とする。【解決手段】洗濯機が載置される洗濯機パンに取り付けられ、前記洗濯機のホースを通って排出される水を受け入れつつ前記洗濯機パン内から排出される水を受け入れ可能な排水トラップであって、前記水を一時的に貯留可能な排水貯留部と、前記貯留された水により封水を形成する封水筒と、を備え、前記封水筒は、前記排水貯留部に固定されたことを特徴とする排水トラップが提供される。【選択図】図２
2012202059.tif 000002
【特許請求の範囲】
【請求項１】
洗濯機が載置される洗濯機パンに取り付けられ、前記洗濯機のホースを通って排出される水を受け入れつつ前記洗濯機パン内から排出される水を受け入れ可能な排水トラップであって、
前記水を一時的に貯留可能な排水貯留部と、
前記貯留された水により封水を形成する封水筒と、
を備え、
前記封水筒は、前記排水貯留部に固定されたことを特徴とする排水トラップ。
【請求項２】
前記封水筒は、前記封水の水面よりも上方の位置において前記排水貯留部に固定されたことを特徴とする請求項１記載の排水トラップ。
【請求項３】
前記封水筒に挿入され、前記洗濯機のホースを通って排出される水を受け入れる排水受入部をさらに備え、
前記排水受入部は、上方への抜けを防止する第１の抜け防止部を有することを特徴とする請求項１または２に記載の排水トラップ。
【請求項４】
前記排水貯留部と前記封水筒と前記排水受入部とは、一体的に取り付けられてトラップ形成体を形成し、
前記トラップ形成体は、前記洗濯機パンからの抜けを防止する第２の抜け防止部を有することを特徴とする請求項３記載の排水トラップ。
【請求項５】
前記第２の抜け防止部は、前記排水貯留部に設けられたことを特徴とする請求項４記載の排水トラップ。
【請求項６】
既存の配管へ排水する排水孔と、
周囲への水の漏れを防止する周壁と、
前記排水孔に取り付けられた請求項１〜５のいずれか１つに記載の排水トラップと、
を備えたことを特徴とする洗濯機パン。
【発明の詳細な説明】
【技術分野】
【０００１】
本発明の態様は、一般的に、排水トラップおよび洗濯機パンに関する。
【背景技術】
【０００２】
一般的に、洗濯機を載置可能な洗濯機パンに取り付けられる排水トラップがある。洗濯機パンに取り付けられる排水トラップは、洗濯機の排水ホースを通して排出される水を受け入れつつ、例えば洗濯機から洗濯機パン内に流れ排出される水などを受け入れる必要がある。洗濯機パン内から排出される水としては、例えば洗濯機の結露水や、使用者が雑排水を流した場合の水などが挙げられる。このように、排水トラップは、洗濯機の排水ホースを通して排出される水だけではなく、洗濯機パンが設置されている床に水がこぼれないように洗濯機パン内に受け止めた水も受け入れる必要がある。そして、排水トラップは、洗濯機の排水ホースを通して排出される水および洗濯機パン内から排出される水の少なくともいずれかにより封水を形成し、排水管から悪臭や害虫類などが室内に侵入することを防止する。
【０００３】
排水トラップは、一般的に、既存の排水用配管と接続されている。そして、衣類の糸くずなどにより既存の配管や排水トラップなどが詰まることを防止するため、排水トラップの少なくとも一部を洗濯機パンから取り外し、既存の配管や排水トラップなどの清掃を行う必要がある。
【０００４】
ここで、上方に向かって一定高さに突設された周壁を周縁に備え、洗濯機載置面の高さを変更可能とした洗濯機用防水パンがある（特許文献１）。特許文献１に記載された洗濯機用防水パンによれば、設置した洗濯機の外底面と防水パン本体の洗濯機載置板間にホース接続用のエルボ等を配設するための充分な高さを有する空間を設けることができる。また、ホースジョイント、封水筒体やスロートのトラップ形成体が着脱自在な排水トラップがある（特許文献２）。
【０００５】
特許文献２に記載された排水トラップのように、床面の排水口に取り付けられる排水トラップでは、排水トラップの上方に障害物がないため、排水口からホースジョイント、トラップ形成体を取り外して清掃することが可能である。しかしながら、特許文献２に記載された排水トラップは、床面の排水口に取り付けられるため、例えば洗濯機パン内などから排出される水を受け入れる部材を備えていない。また、特許文献１には、排水トラップを防水パン本体から取り外すことについての開示はない。
【０００６】
前述したように、洗濯機パンに取り付けられる排水トラップは、洗濯機の排水ホースを通して排出される水を受け入れつつ、洗濯機パン内から排出される水を受け入れる。そのため、例えば封水を形成する複数の部材などが一体化されておらず、作業者が例えば洗濯機の排水ホースなどを持ち上げ排水トラップの少なくとも一部を取り外そうとすると、複数の部材のうちの一部の部材が既存の配管や洗濯機パンの排水口などの近傍に残る場合がある。
【０００７】
このように、洗濯機パンに取り付けられる排水トラップであって、洗濯機の排水ホースを通して排出される水を受け入れつつ、洗濯機パン内から排出される水を受け入れる排水トラップを取り外すときの課題は、見出されていなかった。つまり、洗濯機の排水ホースを通して排出される水を受け入れつつ、洗濯機パン内から排出される水を受け入れる排水トラップを取り外すことについて、改善の余地があることが初めて分かった。
【先行技術文献】
【特許文献】
【０００８】
【特許文献１】特開２００７−２６１４号公報
【特許文献２】特許第３９４６０７９号公報
【発明の概要】
【発明が解決しようとする課題】
【０００９】
本発明は、かかる課題の認識に基づいてなされたものであり、洗濯機パンからより容易に取り外すことができる排水トラップおよびその排水トラップを備える洗濯機パンを提供することを目的とする。
【課題を解決するための手段】
【００１０】
第１の発明は、洗濯機が載置される洗濯機パンに取り付けられ、前記洗濯機のホースを通って排出される水を受け入れつつ前記洗濯機パン内から排出される水を受け入れ可能な排水トラップであって、前記水を一時的に貯留可能な排水貯留部と、前記貯留された水により封水を形成する封水筒と、を備え、前記封水筒は、前記排水貯留部に固定されたことを特徴とする排水トラップである。
【００１１】
この排水トラップによれば、封水筒が排水貯留部に固定されているため、封水筒と排水貯留部とを一体的に洗濯機パンからより容易に取り外すことができる。これにより、例えば、封水筒を洗濯機パンから取り外した後に、排水貯留部は、洗濯機パンに残らない。そのため、既存の配管をより容易に清掃することができる。また、洗濯機のホースを通って排出される水を受け入れつつ洗濯機パン内から排出される水を受け入れることができるとともに、封水筒と排水貯留部とを一体的に洗濯機パンからより容易に取り外すことができる。
【００１２】
また、第２の発明は、第１の発明において、前記封水筒は、前記封水の水面よりも上方の位置において前記排水貯留部に固定されたことを特徴とする排水トラップである。
【００１３】
例えば、封水筒が封水の水面よりも下方の位置において排水貯留部に固定された場合には、排水時の水の流れに異常が生じたり、場合によっては封水が切れる状態すなわち破封が生ずることがあり得る。これに対して、この排水トラップによれば、封水筒は、封水の水面よりも上方の位置において排水貯留部に固定されている。これにより、封水の形成や封水面の高さなどに影響を与えることなく、封水筒を排水貯留部に固定することができる。
【００１４】
また、第３の発明は、第１または第２の発明において、前記封水筒に挿入され、前記洗濯機のホースを通って排出される水を受け入れる排水受入部をさらに備え、前記排水受入部は、上方への抜けを防止する第１の抜け防止部を有することを特徴とする排水トラップである。
【００１５】
この排水トラップによれば、例えば、作業者が排水受入部あるいは洗濯機の排水ホースを持ち上げる場合でも、排水受入部が封水筒などから上方へ抜けることを防止することができる。また、封水筒は、排水貯留部に固定されている。これにより、例えば、作業者は、排水受入部あるいは洗濯機の排水ホースを持ち上げることで、封水筒と排水貯留部と排水受入部とを一体的に洗濯機パンから取り外すことができる。
【００１６】
また、第４の発明は、第３の発明において、前記排水貯留部と前記封水筒と前記排水受入部とは、一体的に取り付けられてトラップ形成体を形成し、前記トラップ形成体は、前記洗濯機パンからの抜けを防止する第２の抜け防止部を有することを特徴とする排水トラップである。
【００１７】
この排水トラップによれば、意図せず不意に排水受入部や洗濯機のホースに対して力が加わった場合でも、排水貯留部と封水筒と排水受入部とを含むトラップ形成体が洗濯機パンから抜けることを防止することができる。
【００１８】
また、第５の発明は、第４の発明において、前記第２の抜け防止部は、前記排水貯留部に設けられたことを特徴とする排水トラップである。
【００１９】
この排水トラップによれば、意図せず不意に排水受入部や洗濯機のホースに対して力が加わった場合でも、排水貯留部が洗濯機パンから抜けることを防止することができる。
【００２０】
また、第６の発明は、既存の配管へ排水する排水孔と、周囲への水の漏れを防止する周壁と、前記排水孔に取り付けられた請求項１〜５のいずれか１つに記載の排水トラップと、を備えたことを特徴とする洗濯機パンである。
【００２１】
この洗濯機パンによれば、洗濯機が洗濯機パンに載置されたままの状態で、封水筒と排水貯留部とを一体的に洗濯機パンからより容易に取り外すことができる。そのため、例えば、封水筒を洗濯機パンから取り外した後に、排水貯留部は、洗濯機パンに残らない。これにより、例えば、排水孔の近傍に残った排水貯留部を周壁越しに見たり、あるいは洗濯機と洗濯機パンとの間の比較的狭い隙間から見たりして、直接掴み取り出すことを回避できる。これにより、既存の配管をより容易に清掃することができる。また、洗濯機のホースを通って排出される水を受け入れつつ洗濯機パン内から排出される水を受け入れることができるとともに、封水筒と排水貯留部とを一体的に洗濯機パンからより容易に取り外すことができる。
【発明の効果】
【００２２】
本発明の態様によれば、洗濯機パンからより容易に取り外すことができる排水トラップおよびその排水トラップを備える洗濯機パンが提供される。
【図面の簡単な説明】
【００２３】
【図１】本発明の実施の形態にかかる排水トラップおよび洗濯機パンを表す斜視模式図である。
【図２】本実施形態にかかる排水トラップを表す分解模式図である。
【図３】本実施形態にかかる排水トラップを表す断面模式図である。
【図４】本実施形態の封水筒と排水貯留部との取付構造を説明するための分解模式図である。
【図５】本実施形態の封水筒と排水貯留部との取付構造を説明するための斜視模式図である。
【図６】本実施形態の排水貯留部の抜け防止構造を説明するための斜視模式図である。
【図７】排水受入部と封水筒と排水貯留部とを含むトラップ形成体が一体的に取付フランジから取り外された状態を例示する斜視模式図である。
【図８】排水受入部と封水筒と排水貯留部とを含むトラップ形成体が一体的に洗濯機パンから取り外された状態を例示する斜視模式図である。
【発明を実施するための形態】
【００２４】
以下、本発明の実施の形態について図面を参照しつつ説明する。なお、各図面中、同様の構成要素には同一の符号を付して詳細な説明は適宜省略する。  
図１は、本発明の実施の形態にかかる排水トラップおよび洗濯機パンを表す斜視模式図である。
【００２５】
図１に表したように、本実施形態にかかる排水トラップ３００は、洗濯機パン２００に取り付けられている。洗濯機パン２００は、台座部２１０と、架台２２０と、周壁２３０と、排水孔２４０と、を有する。排水孔２４０は、洗濯機パン２００を略上下方向に貫通して設けられ、洗濯機８００から排出される水や洗濯機パン２００内から排出される水などを図示しない既存の配管へ排水することができる。そして、排水トラップ３００は、洗濯機パン２００の排水孔２４０に取り付けられている。
【００２６】
台座部２１０は、洗濯機パン２００の内底面２０１から上方に突出して設けられている。架台２２０は、台座部２１０に固定され、洗濯機８００の脚８０１を支持することができる。つまり、洗濯機８００の脚８０１は、架台２２０の上に載置される。なお、台座部２１０と架台２２０とは、一体として形成されていてもよい。例えば、台座部２１０は、図１に表した架台２２０の高さを有し、洗濯機８００の脚８０１を支持してもよい。
【００２７】
周壁２３０は、洗濯機パン２００の周縁において内底面２０１から上方に突出して設けられている。これにより、周壁２３０は、洗濯機８００から排出された水や漏れた水などが洗濯機パン２００の外側（例えば周りの床など）へ流れ出ることを抑制することができる。
【００２８】
図２は、本実施形態にかかる排水トラップを表す分解模式図である。  
また、図３は、本実施形態にかかる排水トラップを表す断面模式図である。  
本実施形態の排水トラップ３００は、排水受入部３１０と、封水筒３２０と、排水貯留部３３０と、排水管３４０と、取付フランジ３５０と、目皿３６０と、を有する。
【００２９】
排水受入部３１０は、ホース接続部３１１と、排水部３１３と、を有する。ホース接続部３１１と排水部３１３とは、互いに接続されている。ホース接続部３１１は、洗濯機８００の図示しない排水ホースと接続される。そして、排水受入部３１０は、洗濯機８００の排水ホースを通して排出される水を受け入れる。なお、ホース接続部３１１と排水部３１３とは、一体として形成されていてもよい。
【００３０】
封水筒３２０は、筒状に形成され、下部に開口部３２１を有する。封水筒３２０は、洗濯機８００から洗濯機パン２００内に流れ排出される水を目皿３６０を通して受け入れる。洗濯機パン２００内から排出される水としては、例えば洗濯機８００の結露水や、使用者が雑排水を流した場合の水などが挙げられる。そして、例えば洗濯機８００から排出された水や漏れた水などは、洗濯機パン２００の内底面２０１を流れ、目皿３６０を通過して封水筒３２０に流入する。
【００３１】
図２に表したように、目皿３６０は、第１の目皿３６１と、第２の目皿３６２と、を有する。但し、目皿３６０の構造は、これだけに限定されるわけではなく、一体として形成されていてもよいし、３つ以上の部材により形成されていてもよい。
【００３２】
排水貯留部３３０は、流出口３３１を有し、例えば容器のように形成されている。そのため、排水貯留部３３０は、排水受入部３１０および封水筒３２０を通して排出される水を封水として一時的に貯留することができる。
【００３３】
排水管３４０は、図示しない既存の配管と接続され、取付フランジ３５０と締結することで洗濯機パン２００の排水孔２４０に取り付けられている。例えば、図３に表したように、排水管３４０と取付フランジ３５０との間に洗濯機パン２００の排水孔２４０を挟設させることで、排水管３４０は、洗濯機パン２００の排水孔２４０に取り付けられる。
【００３４】
このとき、排水管３４０および取付フランジ３５０と、洗濯機パン２００と、の間には、パッキン３７５が介在している。パッキン３７５は、例えばゴムなどの弾性を有する材質から形成されている。そのため、排水管３４０および取付フランジ３５０と、洗濯機パン２００と、は、パッキン３７５により水密的に固定されている。
【００３５】
また、封水筒３２０と、排水貯留部３３０と、の間には、パッキン３７１が介在している。パッキン３７１は、パッキン３７５と同様に、例えばゴムなどの弾性を有する材質から形成されている。そのため、封水筒３２０と、排水貯留部３３０と、は、パッキン３７１により水密的に固定されている。
【００３６】
さらに、排水貯留部３３０と、取付フランジ３５０と、の間には、パッキン３７３が介在している。パッキン３７３は、パッキン３７１、３７５と同様に、例えばゴムなどの弾性を有する材質から形成されている。そのため、排水貯留部３３０と、取付フランジ３５０と、は、パッキン３７３により水密的に固定されている。
【００３７】
図３に表したように、排水部３１３は、封水筒３２０の内部に挿入され、下部において鍔部（第１の抜け防止部）３１３ａを有する。排水部３１３の鍔部３１３ａの外形は、封水筒３２０の下部に形成された開口部３２１よりも大きい。そのため、鍔部３１３ａは、開口部３２１を通過して筒状に形成された封水筒３２０の内部に入り込むことはできない。これにより、例えば、作業者がホース接続部３１１あるいは洗濯機８００の排水ホースを持ち上げる場合でも、排水受入部３１０が封水筒３２０から抜けることを防止することができる。
【００３８】
なお、排水受入部３１０の抜け防止部の構造は、これだけに限定されるわけではない。排水受入部３１０の抜け防止部は、排水貯留部３３０との関係において抜け防止可能な構造を有していてもよい。例えば、排水受入部３１０の抜け防止部は、排水貯留部３３０と接合される構造や、排水貯留部３３０と嵌合される構造を有していてもよい。
【００３９】
矢印Ａ１のように洗濯機８００の排水ホースを通して排水受入部３１０の内部を流れる水は、矢印Ａ２のように、排水部３１３の下部に設けられた図示しない孔を通過して排水貯留部３３０の内部へ流れる。一方、矢印Ａ３のように洗濯機パン２００内を流れ目皿３６０を通して封水筒３２０の内部を流れる水は、矢印Ａ４のように、封水筒３２０の開口部３２１から排水貯留部３３０の内部へ流れる。
【００４０】
排水貯留部３３０の内部に流れた水は、矢印Ａ５のように排水貯留部３３０に形成された流出口３３１へ向かって流れ、矢印Ａ６のように流出口３３１から流出するまで封水として一時的に貯留される。つまり、図３に表したように、形成される封水の水面（封水面）の位置（高さ）は、流出口３３１の下端部と略同じ位置（高さ）である。排水貯留部３３０の流出口３３１から流出した水は、矢印Ａ７のように排水管３４０の内部を流れ、既存の配管へ導かれ排出される。
【００４１】
このように、排水トラップ３００は、排水受入部３１０と、封水筒３２０と、排水貯留部３３０と、により封水を形成する。そして、排水トラップ３００は、形成した封水と、パッキン３７１、３７３、３７５と、により既存の配管から悪臭や害虫類などが室内に侵入することを防止する。
【００４２】
次に、本実施形態の封水筒３２０と排水貯留部３３０との取付構造について、図面を参照しつつ説明する。  
図４は、本実施形態の封水筒と排水貯留部との取付構造を説明するための分解模式図である。  
また、図５は、本実施形態の封水筒と排水貯留部との取付構造を説明するための斜視模式図である。  
なお、図５（ａ）は、封水筒と排水貯留部とを固定する前の状態を例示する斜視模式図であり、図５（ｂ）は、封水筒と排水貯留部とを固定した後の状態を例示する斜視模式図である。
【００４３】
本実施形態の封水筒３２０は、排水貯留部３３０に取り付けられ固定される。図４に表した矢印Ａ１１のように、封水筒３２０を排水貯留部３３０に固定する際には、まず封水筒３２０を排水貯留部３３０の内部に挿入する。図５（ａ）は、封水筒３２０が排水貯留部３３０に挿入された状態を表している。
【００４４】
図５（ａ）に表したように、封水筒３２０は、周縁部において係合部３２３を有する。係合部３２３は、一端部において上方に突出した突起部３２３ａを有する。係合部３２３は、突起部３２３ａへ向かうにつれて高くなるように傾斜状に形成されている。また、封水筒３２０は、内面から径内方向に突出した摘み部３２５を有する。一方、排水貯留部３３０は、内面から径内方向に突出した係合部３３５を有する。
【００４５】
封水筒３２０の係合部３２３は、封水筒３２０の全周に設けられているわけではなく離隔して設けられている。つまり、図５（ａ）に表したように、係合部３２３同士の間には離隔部３２３ｂが設けられている。そのため、封水筒３２０を排水貯留部３３０の内部に挿入すると、排水貯留部３３０の係合部３３５が封水筒３２０の離隔部３２３ｂを相対的に上方へ通過し、図５（ａ）に表した状態となる。
【００４６】
摘み部３２５を持ち、図５（ａ）に表した矢印Ａ１２の方向に封水筒３２０を回転させると、排水貯留部３３０の係合部３３５は、図５（ａ）に表した矢印Ａ１３のように、封水筒３２０の係合部３２３の上面を相対的に突起部３２３ａに向かって摺動する。封水筒３２０の係合部３２３は、突起部３２３ａへ向かうにつれて高くなるように傾斜状に形成されているため、排水貯留部３３０の係合部３３５が相対的に突起部３２３ａに向かって摺動するにつれて排水貯留部３３０の係合部３３５から下方への力を受ける。言い換えれば、封水筒３２０は、図５（ａ）に表した矢印Ａ１２の方向に回転するにつれて下方への力を受ける。そして、図５（ｂ）に表したように、排水貯留部３３０の係合部３３５が封水筒３２０の突起部３２３ａと接触すると、封水筒３２０の矢印Ａ１２の方向への回転は停止する。
【００４７】
このようにして、封水筒３２０は、排水貯留部３３０に取り付けられ固定される。また、封水筒３２０の係合部３２３および排水貯留部３３０の係合部３３５は、排水貯留部３３０の流出口３３１の下端部３３１ａの位置すなわち封水面の位置よりも高い位置に設けられている。そのため、封水筒３２０と排水貯留部３３０との固定位置は、封水面よりも上方の位置である。これにより、封水の形成や封水面の高さなどに影響を与えることなく、封水筒３２０を排水貯留部３３０に固定することができる。
【００４８】
なお、図４および図５に関して説明した封水筒３２０と排水貯留部３３０との取付構造は、一例であり、これだけに限定されるわけではい。封水筒３２０が排水貯留部３３０に固定され、その固定位置が封水面よりも上方の位置である限り、本実施形態の範囲に包含される。
【００４９】
次に、本実施形態の排水貯留部３３０の抜け防止構造について、図面を参照しつつ説明する。  
図６は、本実施形態の排水貯留部の抜け防止構造を説明するための斜視模式図である。  また、図７は、排水受入部と封水筒と排水貯留部とを含むトラップ形成体が一体的に取付フランジから取り外された状態を例示する斜視模式図である。  
また、図８は、排水受入部と封水筒と排水貯留部とを含むトラップ形成体が一体的に洗濯機パンから取り外された状態を例示する斜視模式図である。  
なお、図６（ａ）は、排水貯留部と取付フランジとの固定を解除する前の状態を表す斜視模式図であり、図６（ｂ）は、排水貯留部と取付フランジとの固定を解除した後の状態を表す斜視模式図である。
【００５０】
図６（ａ）に表したように、本実施形態の排水貯留部３３０は、取付フランジ３５０に取り付けられ固定されている。排水貯留部３３０は、外周部において、係合部３３７（第２の抜け防止部）と、上下方向に延在する壁面３３８ａ、３３８ｂと、を有する（図５（ａ）および図５（ｂ）も参照）。係合部３３７は、壁面３３８ａへ向かうにつれて高くなるように傾斜状に形成されている。また、排水貯留部３３０は、上面から上方へ突出した摘み部３３９を有する。一方、取付フランジ３５０は、内面から径内方向に突出した係合部３５１を有する。排水貯留部３３０の係合部３３７は、排水貯留部３３０の全周に設けられているわけではなく離隔して設けられている。つまり、係合部３３７同士の間には、離隔部３３７ｂが形成されている（図５（ａ）および図５（ｂ）も参照）。
【００５１】
排水貯留部３３０と取付フランジ３５０との固定を解除する前では、取付フランジ３５０の係合部３５１は、排水貯留部３３０の係合部３３７と係合し壁面３３８ａと接触している。このとき、排水貯留部３３０の係合部３３７は、壁面３３８ａへ向かうにつれて高くなるように傾斜状に形成されているため、取付フランジ３５０の係合部３５１から下方への力を受けて固定されている。
【００５２】
排水貯留部３３０と取付フランジ３５０との固定を解除する際には、まず摘み部３３９を持ち、図６（ａ）に表した矢印Ａ２１の方向に排水貯留部３３０を回転させる。そうすると、取付フランジ３５０の係合部３５１は、図６（ａ）に表した矢印Ａ２２のように、排水貯留部３３０の係合部３３７の上面を相対的に離隔部３３７ｂに向かって摺動する。排水貯留部３３０の係合部３３７は、離隔部３３７ｂへ向かうにつれて低くなるように傾斜状に形成されているため、取付フランジ３５０の係合部３５１が相対的に離隔部３３７ｂに向かうにつれて下方への力が解除される。そして、図６（ｂ）に表したように、取付フランジ３５０の係合部３５１が排水貯留部３３０の壁面３３８ｂと接触すると、排水貯留部３３０の矢印Ａ２１の方向への回転は停止する。
【００５３】
このとき、取付フランジ３５０の係合部３５１は、離隔部３３７ｂの上方に位置している。そのため、取付フランジ３５０の係合部３５１が排水貯留部３３０の離隔部３３７ｂを相対的に下方へ通過することで、排水貯留部３３０は、取付フランジ３５０に対して上方へ移動することができる。
【００５４】
ここで、図３に関して前述したように、排水部３１３は、封水筒３２０の内部に挿入され、下部において鍔部３１３ａを有する。これにより、排水部３１３を有する排水受入部３１０が封水筒３２０から抜けることが防止されている。また、図４および図５に関して前述したように、封水筒３２０は、排水貯留部３３０に固定されている。そのため、図７および図８に表したように、例えば清掃を行う作業者がホース接続部３１１あるいは洗濯機８００の排水ホースを持ち上げることで、排水受入部３１０と封水筒３２０と排水貯留部３３０とを含むトラップ形成体３９０を一体的に取付フランジ３５０および洗濯機パン２００から取り外すことができる。
【００５５】
例えば、衣類の糸くずなどにより既存の配管や排水トラップ３００などが詰まることを防止するため、排水トラップ３００の少なくとも一部が洗濯機パン２００から取り外され、既存の配管や排水トラップ３００などの清掃が行われる場合がある。前述したように、洗濯機パン２００の周縁には周壁２３０が設けられている。そのため、作業者は、洗濯機８００が洗濯機パン２００に載置されたままの状態で、洗濯機パン２００に載置された洗濯機８００の底部と、周壁２３０の上部と、の間の隙間から、排水トラップ３００を見ることは困難である。言い換えれば、作業者は、洗濯機８００が洗濯機パン２００に載置されたままの状態で、周壁２３０越しに排水トラップ３００を見ることは困難である。また、洗濯機パン２００に載置された洗濯機８００の底部と、周壁２３０の上部と、の間の隙間は、比較的狭いため、作業者がその隙間に腕を通して排水トラップ３００の少なくとも一部を取り出すことは困難である。また、これらの困難性を伴う状況において排水トラップ３００の少なくとも一部を取り出すと、例えば排水貯留部３３０や排水貯留部３３０に貯留された水などにより作業者の手が汚れることがあり得る。
【００５６】
さらに、例えば、作業者がホース接続部３１１あるいは洗濯機８００の排水ホースを持ち上げ排水トラップ３００の少なくとも一部を取り外しても、排水貯留部３３０がホース接続部３１１などと一体的に取り外されず排水孔２４０の近傍に残る場合を想定する。この場合には、作業者は、排水孔２４０の近傍に残った排水貯留部３３０を周壁２３０越しに見て掴み、あるいは手探りで掴み、取り外す必要がある。
【００５７】
しかしながら、洗濯機パン２００が周壁２３０を有するため、作業者が洗濯機パン２００に載置された洗濯機８００の底部と、洗濯機パン２００の周壁２３０の上部と、の間の隙間から排水孔２４０の近傍に残った排水貯留部３３０を見ることは困難である。作業者は、体を屈めて無理な体勢をとる必要がある。また、洗濯機パン２００に載置された洗濯機８００の底部と、周壁２３０の上部と、の間の隙間は、比較的狭いため、作業者がその隙間から腕を通して既存の配管や洗濯機パン２００の排水孔２４０などの近傍に残った排水貯留部３３０を直接掴み取り出すことは困難である。さらに、作業者が排水貯留部３３０を洗濯機パン２００から洗濯機パン２００の周壁２３０の外側へ取り外すときに、排水貯留部３３０に貯留された水がこぼれる場合があり、問題であった。また、例えば排水貯留部３３０や排水貯留部３３０に貯留された水などにより作業者の手が汚れることがあり得る。
【００５８】
これに対して、本実施形態にかかる排水トラップ３００によれば、作業者は、ホース接続部３１１あるいは洗濯機８００の排水ホースを持ち上げることで、排水受入部３１０と封水筒３２０と排水貯留部３３０とを、トラップ形成体３９０として一体的に洗濯機パン２００から取り外すことができる。これにより、ホース接続部３１１が持ち上げられ洗濯機パン２００から取り外された後に、排水貯留部３３０は、排水孔２４０の近傍に残らない。
【００５９】
また、前述したように、洗濯機８００は、台座部２１０に固定された架台２２０に載置されている。そのため、洗濯機パン２００の内底面２０１と、架台２２０に載置された洗濯機８００の底部と、の間に、排水貯留部３３０の外形よりも大きい隙間を確保することができる。言い換えれば、台座部２１０および架台２２０は、洗濯機パン２００の内底面２０１と、架台２２０に載置された洗濯機８００の底部と、の間に、排水貯留部３３０が通過可能な隙間を形成する。これにより、作業者は、一体的に取り外したトラップ形成体３９０を、洗濯機パン２００の内底面２０１と、架台２２０に載置された洗濯機８００の底部と、の間の隙間に置き、既存の配管をより容易に清掃することができる。
【００６０】
さらに、周壁２３０の上部と、架台２２０に載置された洗濯機８００の底部と、の間に、排水貯留部３３０の外形よりも大きい隙間を確保することができる。言い換えれば、台座部２１０および架台２２０は、周壁２３０の上部と、架台２２０に載置された洗濯機８００の底部と、の間に、排水貯留部３３０が通過可能な隙間を形成する。そのため、作業者は、一体的に取り外したトラップ形成体３９０の少なくとも一部を清掃する場合には、トラップ形成体３９０を周壁２３０の上部と、架台２２０に載置された洗濯機８００の底部と、の間の隙間を通して洗濯機パン２００の外側へ取り出し、より容易に清掃することができる。また、図４および図５に関して前述したように、封水筒３２０と排水貯留部３３０とは、互いに着脱可能である。そのため、作業者は、封水筒３２０を排水貯留部３３０から取り外すことで、封水筒３２０および排水貯留部３３０をそれぞれ単体としてより容易に清掃することができる。
【００６１】
さらに、排水貯留部３３０が通過可能な隙間が確保されていない場合には、洗濯機パン２００の内底面２０１と、架台２２０に載置された洗濯機８００の底部と、の間の比較的狭い隙間において、一体的に取り外したトラップ形成体３９０を分解し一つ一つの部材を洗濯機パン２００の外側へ取り出さなければならいないという問題があった。これに対して、本実施形態にかかる洗濯機パン２００によれば、一体的に取り外したトラップ形成体３９０をそのまま洗濯機パン２００の外側へ取り出すことができる。そして、一体的に取り外したトラップ形成体３９０を洗濯機パン２００の外側で分解し清掃することができる。清掃後には、分解したものを洗濯機パン２００の外側で組み立てることができる。そして、組み立てたトラップ形成体３９０をそのまま一体的に元の設置位置に戻すことができる。これにより、洗濯機パン２００の内底面２０１と、架台２２０に載置された洗濯機８００の底部と、の間の比較的狭い隙間における作業を低減できる。
【００６２】
また、作業者は、ホース接続部３１１あるいは洗濯機８００の排水ホースを持ち上げてホース接続部３１１を取り外すことで、排水貯留部３３０に直接触れることなく排水受入部３１０と封水筒３２０と排水貯留部３３０とを一体的に取り外すことができる。これにより、例えば排水貯留部３３０や排水貯留部３３０に貯留された水により作業者の手が汚れることを防止することができる。
【００６３】
前述したように、排水貯留部３３０は、係合部３３７（第２の抜け防止部）を有し、取付フランジ３５０に固定されている。そのため、排水貯留部３３０が取付フランジ３５０および洗濯機パン２００から上方へ抜けることが防止されている。また、封水筒３２０は、排水貯留部３３０に固定されている。さらに、排水受入部３１０が封水筒３２０から抜けることが防止されている。そのため、排水貯留部３３０の係合部３３７は、排水受入部３１０と封水筒３２０と排水貯留部３３０とが一体的に取り付けられたトラップ形成体３９０の抜け防止部としても機能する。これにより、意図せず不意にホース接続部３１１あるいは洗濯機８００の排水ホースに対して力が加わった場合でも、排水貯留部３３０およびトラップ形成体３９０が洗濯機パン２００から外れることを防止することができる。
【００６４】
なお、トラップ形成体３９０の抜け防止部は、排水貯留部３３０に設けられることに限定されるわけではない。トラップ形成体３９０の抜け防止部は、例えば、トラップ形成体３９０の上方を覆うようなカバーであってもよい。あるいは、トラップ形成体３９０の抜け防止部は、ホース接続部３１１の抜けを防止するリングなどであってもよい。
【００６５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水受入部３１０や封水筒３２０や排水貯留部３３０などが備える各要素の形状、寸法、材質、配置などや第１の抜け防止部や第２の抜け防止部の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６６】
２００ 洗濯機パン、  ２０１ 内底面、  ２１０ 台座部、  ２２０ 架台、  ２３０ 周壁、  ２４０ 排水孔、  ３００ 排水トラップ、  ３１０ 排水受入部、  ３１１ ホース接続部、  ３１３ 排水部、  ３１３ａ 鍔部、  ３２０ 封水筒、  ３２１ 開口部、  ３２３ 係合部、  ３２３ａ 突起部、  ３２３ｂ 離隔部、  ３２５ 摘み部、  ３３０ 排水貯留部、  ３３１ 流出口、  ３３１ａ 下端部、  ３３５ 係合部、  ３３７ 係合部、  ３３７ｂ 離隔部、  ３３８ａ 壁面、  ３３８ｂ 壁面、  ３３９ 摘み部、  ３４０ 排水管、  ３５０ 取付フランジ、  ３５１ 係合部、  ３６０ 目皿、  ３６１ 第１の目皿、  ３６２ 第２の目皿、  ３７１ パッキン、  ３７３ パッキン、  ３７５ パッキン、  ３９０ トラップ形成体、  ８００ 洗濯機、  ８０１ 脚
【図１】
2012202059.tif 000003
【図２】
2012202059.tif 000004
【図３】
2012202059.tif 000005
【図４】
2012202059.tif 000006
【図５】
2012202059.tif 000007
【図６】
2012202059.tif 000008
【図７】
2012202059.tif 000009
【図８】
2012202059.tif 000010